(57)【特許請求の範囲】
【請求項１】
戸尻側パネルと戸先側パネルとが連結手段を介して回動自在に連結されてなる折れ戸において、戸尻側パネルおよび戸先側パネルを支持する折れ戸の支持構造であって、折れ戸が設置される開口部に取り付けた上枠に対して戸尻側パネルの一木口側の上端部を移動不能且つ回動自在に吊持する戸尻側パネル上部支持手段と、該上枠に対して戸先側パネルを移動自在に吊持する戸先側パネル上部支持手段とを有し、戸尻側パネルおよび戸先側パネルの両パネルを上枠に吊持させるようにしたものであって、戸尻側パネル上部支持手段は、上枠側金具とパネル側金具が軸部を介して互いに回動自在に一体化されており、上枠側金具は上枠の下面に取り付けたレール内の長手方向端部に移動不能に収容固定され、パネル側金具は戸尻側パネルの前記一木口側の上端部に固定され、軸部は該固定されたパネル側金具に固定されて上方に突出し、前記固定された上枠側金具に対して回動自在に連結されることを特徴とする折れ戸の支持構造。
【請求項２】
戸尻側パネルと戸先側パネルとが連結手段を介して回動自在に連結されてなる折れ戸において、折れ戸が設置される開口部に取り付けた上枠に対して戸尻側パネルの一木口側の上端部を移動不能且つ回動自在に吊持する戸尻側パネル上部支持金具であって、上枠側金具とパネル側金具が軸部を介して互いに回動自在に一体化されており、上枠側金具は上枠の下面に取り付けたレール内の長手方向端部に移動不能に収容固定され、パネル側金具は戸尻側パネルの前記一木口側の上端部に固定され、軸部は該固定されたパネル側金具に固定されて上方に突出し、前記固定された上枠側金具に対して回動自在に連結されることを特徴とする戸尻側パネル上部支持金具。
【請求項３】
上枠側金具は、レール内に収容固定された状態で、レール鍔部間から下方に突出する突起を有し、該突起の幅がレール鍔部間の間隔と略同一に形成されることにより戸尻側パネルの前後方向の振れを防止することを特徴とする請求項２記載の戸尻側パネル上部支持金具。
【発明の詳細な説明】
【技術分野】
【０００１】
本発明は、室内のクローゼットや間仕切りなどとして使用される折れ戸（フォールディングドアとも呼ばれる）の支持構造に関し、さらに、この支持構造に用いられる戸尻側パネル上部支持金具に関する。
【背景技術】
【０００２】
折れ戸は、開口枠の一側に回動自在に支持される戸尻側パネルと、この戸尻側パネルの他側に連結手段を介して回動自在に連結される戸先側パネルとを有し、戸先側パネルを戸尻側パネルに対して略面一に伸張させたときに戸尻側パネルの他側が開口枠の他側に密接して開口部を閉止し、この状態から戸先側パネルを引く（または押す）と連結手段を介してこれらパネルが互いに回転しながら折り畳まれて開口部を開くように構成されている。
【０００３】
このような折れ戸において、戸尻側パネルを開口枠の一側に回動自在に支持するための支持構造として、特許文献１では、戸尻側パネルの一側の上端部に設けた上部ピボットを開口枠の上枠に形成した挿通孔に挿入すると共に、床に固着した下部ピボットを該戸尻側パネル一側下端部に形成した挿通孔に挿入して、これら上部ピボットおよび下部ピボットを回転軸として戸尻側パネルを回動させる構成を採用している。戸先側パネルは、その上端部の厚さ方向および幅方向中央に回動自在に設けたランナを開口枠の上枠に設けたレール内に走行自在とすることによって吊持され、床側には下部レールを設ける必要のない構成としている。
【先行技術文献】
【特許文献】
【０００４】
【特許文献１】実公平０７−０２５４２５号公報
【発明の概要】
【発明が解決しようとする課題】
【０００５】
特許文献１が採用する支持構造によると、戸尻側パネルについてはその下端部の挿通孔に挿入される床側の下部ピボットが実質的に全荷重を支持し、戸先側パネルについてはその上端部のランナが実質的に全荷重を支持することになる。すなわち、略対角線上にある２地点で折れ戸の荷重を支持することとなり、荷重の均衡を保持することができず、パネルに歪みを発生させる恐れがある。
【０００６】
また、この折れ戸を開閉する際には、上端一側で荷重が支持されている戸尻側パネルと下端他側で荷重が支持されている戸先側パネルとが互いに回動することとなり、回動に抵抗が生じ、スムーズな開閉を阻害するものとなっていた。
【０００７】
したがって、本発明が解決しようとする課題は、折れ戸を構成する戸尻側パネルと戸先側パネルをいずれも上端部のみで吊持する荷重支持構造とすることによって上記従来技術の問題点を解決することであり、また、この支持構造に用いられる戸尻側パネル上部支持金具を提供することである。
【課題を解決するための手段】
【０００８】
この課題を解決するため、請求項１に係る本発明は、戸尻側パネルと戸先側パネルとが連結手段を介して回動自在に連結されてなる折れ戸において、戸尻側パネルおよび戸先側パネルを支持する折れ戸の支持構造であって、折れ戸が設置される開口部に取り付けた上枠に対して戸尻側パネルの一木口側の上端部を移動不能且つ回動自在に吊持する戸尻側パネル上部支持手段と、該上枠に対して戸先側パネルを移動自在に吊持する戸先側パネル上部支持手段とを有し、戸尻側パネルおよび戸先側パネルの両パネルを上枠に吊持させるようにしたものであって、戸尻側パネル上部支持手段は、上枠側金具とパネル側金具が軸部を介して互いに回動自在に一体化されており、上枠側金具は上枠の下面に取り付けたレール内の長手方向端部に移動不能に収容固定され、パネル側金具は戸尻側パネルの前記一木口側の上端部に固定され、軸部は該固定されたパネル側金具に固定されて上方に突出し、前記固定された上枠側金具に対して回動自在に連結されることを特徴とする。
【０００９】
請求項２に係る発明は、戸尻側パネルと戸先側パネルとが連結手段を介して回動自在に連結されてなる折れ戸において、折れ戸が設置される開口部に取り付けた上枠に対して戸尻側パネルの一木口側の上端部を移動不能且つ回動自在に吊持する戸尻側パネル上部支持金具であって、上枠側金具とパネル側金具が軸部を介して互いに回動自在に一体化されており、上枠側金具は上枠の下面に取り付けたレール内の長手方向端部に移動不能に収容固定され、パネル側金具は戸尻側パネルの前記一木口側の上端部に固定され、軸部は該固定されたパネル側金具に固定されて上方に突出し、前記固定された上枠側金具に対して回動自在に連結されることを特徴とする。
【００１０】
請求項３に係る本発明は、請求項２記載の戸尻側パネル上部支持金具において、上枠側金具は、レール内に収容固定された状態で、レール鍔部間から下方に突出する突起を有し、該突起の幅がレール鍔部間の間隔と略同一に形成されることにより戸尻側パネルの前後方向の振れを防止することを特徴とする。
【発明の効果】
【００１１】
本発明によれば、折れ戸を構成する戸尻側パネルと戸先側パネルの両パネルがそれぞれの上部支持手段によって、折れ戸が設置される開口部に取り付けた上枠に対して吊持された状態で支持されるため、同じ高さ位置で折れ戸の全荷重を支えることとなり、歪みを発生させることがないという効果がある。
【００１２】
また、戸尻側パネルが上枠に対して前後左右方向に移動不能であって且つ軸部を中心として回動自在に固定されるので、折れ戸の開閉をスムーズに行うことができる効果がある。
【００１３】
また、レール鍔部間の間隔と略同一幅の突起を上枠側金具から下方に突出形成させ、上枠側金具がレール内に収容固定された状態でこの突起をレール鍔部間から下方に突出させることにより、戸尻側パネルの前後方向の振れを防止する効果が得られる。
【図面の簡単な説明】
【００１４】
【図１】本発明が適用された開口部内に設置された折れ戸を閉止状態で示す正面図（ａ）および該折れ戸の拡大平面図（ｂ）である。
【図２】この折れ戸の戸尻側パネルの取り付けを示す分解斜視図である。
【図３】この折れ戸の戸尻側パネルに対する上部支持構造を示す透視平面図である。
【図４】この折れ戸の戸尻側パネルの開口枠側木口端部における納まり状態図である。
【図５】この折れ戸の戸先側パネルに対する上部支持構造を示す透視平面図である。
【図６】この折れ戸の戸先側パネルの開口枠に対する納まり状態図である。
【図７】本発明を適用可能な他の折れ戸構成を閉止状態で示す正面図である。
【発明を実施するための最良の形態】
【００１５】
図１は本発明の支持構造が適用された折れ戸１を示す。この折れ戸１は、床面２上において、上枠３ａおよび左右縦枠３ｂ，３ｃからなる三方枠として構成される開口枠３に設置され、各々平面視矩形状を有する戸尻側パネル４と戸先側パネル５とが連結部材６によって回動自在に連結されている。後述する支持構造によって、戸尻側パネル４はその右縦枠３ｂ側の上端部で上枠３ａに吊持され、戸先側パネル５はその左縦枠３ｃ側の上端部で上枠３ａに吊持される。戸先側パネル５の左縦枠３ｃ側の任意位置には開閉操作のための取手７が取り付けられている。
【００１６】
連結部材６は、戸尻側パネル４と戸先側パネル５の向かい合う木口に高さ方向全長に亘って固着した木口材７，７と、これら木口材７，７の各上下端部に設けたギアなどの回動部８，８とを有して形成され、回動部８，８同士が噛み合いながら自由に回動することで戸尻側パネル４と戸先側パネル５とを回動自在に連結している。このような連結部材６を用いることにより、戸尻側パネル４と戸先側パネル５との間に隙間が生ずるので、この隙間および連結部材６（特に上下端部の回動部８，８）を隠すためにシート状の隙間隠し材９が設けられる。この連結部材６によれば、戸先側パネル５は図１（ａ）手前側／図１（ｂ）下側に引くことによって折れ戸１を開くことができ、反対方向には開かない片開きの折れ戸構造となる。連結部材６を構成する木口材７，７や隙間隠し材９はアルミなどの金属部材や成型樹脂などで形成することができる。なお、図示の連結部材６の構成は一例であり、戸尻側パネル４と戸先側パネル５とを回動自在に連結するものであれば他のいかなる構成も採用可能である。
【００１７】
一例として、戸尻側パネル４は高さ１９６５ｍｍ，厚さ２７ｍｍ，幅２２１．５ｍｍであり、戸先側パネル５は高さおよび厚さが戸尻側パネル４と同一であって幅４５５．５ｍｍであり、これらが幅２０ｍｍの隙間で連結部材６で回動自在に連結され、閉止状態における折れ戸１全体の寸法は高さ１９６５ｍｍ，厚さ２７ｍｍ，幅６９７ｍｍである。戸尻側パネル４および戸先側パネル５はいずれもフラッシュ構造のパネル体とすることができる。
【００１８】
上枠３ａには下面に開口する溝３ｄがその全長（幅方向）に亘って形成され、この溝３ｄにレール１０が取り付けられている。
【００１９】
この折れ戸１の支持構造は、戸尻側パネル４の右縦枠３ｂ側の上端部を上枠３ａに回動自在に吊持する戸尻側パネル上部支持手段２０（図２〜図４）と、戸尻側パネル４の右縦枠３ｂ側の下端部を床面２上に回動自在に支持する戸尻側パネル下部支持手段３０（図２，図４）と、戸先側パネル５を上枠３ａに移動自在に吊持する戸先側パネル支持手段４０（図５，図６）とからなる。
【００２０】
戸尻側パネル上部支持手段２０について特に図２〜図４を参照して説明する。この戸尻側パネル上部支持手段２０は、戸尻側パネル４の右縦枠３ｂ側の上端部に取り付けられたパネル側金具２１と、このパネル側金具２１の直上位置において上枠３ａの下面に取り付けられた上枠側金具２２とを有する。パネル側金具２１は、戸尻側パネル４の上木口４ａから右縦枠３ｂ側の木口にかけて形成された嵌合穴１１に嵌合収容され、ネジ２３で固定される。
【００２１】
上枠側金具２２は、上枠３ａの下面の溝３ｄに取り付けられたレール１０の内部の幅より幅狭で且つレール鍔部１０ａ間の間隔より幅広の略矩形状に形成され、その長手方向両端にレール鍔部１０ａ間と略同一幅を有する突起２７，２７が下方に向けて折曲形成されている。上枠側金具２２はレール１０の内部に収容され、且つ、一対の突起２７，２７がレール鍔部１０ａ間から下方に突出した状態で、挟持金具２４を介してネジ２５で固定される。挟持金具２４は、レール１０を跨ぐように掛け渡された状態に配置されるので、この挟持金具２４のネジ穴と上枠側金具２２のネジ穴（いずれも図示せず）にネジ２５を下方から螺通させることにより、上枠側金具２２を上枠３ａおよびレール１０に対してパネル幅方向（開口部から見て左右方向）に移動不能に固定される。
【００２２】
パネル側金具２１と上枠側金具２２は軸部２６で互いに回動自在に連結されている。軸部２６は、上枠側金具の貫通孔（図示せず）より小径の略円柱形状に形成されると共に、該貫通孔より大径の軸頭２６ａを有しており、軸頭２６ａは上枠側金具２２の上面側に位置してレール１０内に収容され、該貫通孔を通って下方に延長し、下端がパネル側金具２１の内部昇降部材２８にかしめられて固定されている。このようにして、戸尻側パネル４は、戸尻側パネル上部支持手段２０によって右縦枠３ｂ側の上端部が上枠３ａに吊持されると共に、軸部２６を回転軸として回動自在である。
【００２３】
上枠側金具２２は、突起２７，２７がレール鍔部１０ａに嵌合された状態で固定されるので、上枠３ａに対してパネル厚さ方向（開口部から見て前後方向）にも移動することがない。したがって、この上枠側金具２２に対して軸部２６およびパネル側金具２１を介して連結される戸尻側パネル４は、パネル厚さ方向の振れが抑制され、折れ戸１の開閉をスムーズにする。
【００２４】
軸部２６の下端をかしめ固定しているパネル側金具２１内の昇降部材２８は、調整ネジ２９を介してパネル側金具２１内において若干の上下動が可能なように構成されており、上枠３ａに吊持される戸尻側パネル４の高さ調節を可能にしている。
【００２５】
なお、戸尻側パネル上部支持手段２０の構成は本実施例に限定されるものではなく、戸尻側パネル４の右縦枠３ｂ側の上端部を上枠３ａに対して移動不能且つ回動自在に吊持するものであれば良い。
【００２６】
戸尻側パネル下部支持手段３０について特に図２および図４を参照して説明する。この戸尻側パネル下部支持手段３０は、戸尻側パネル４の右縦枠３ｂ側の下端部に形成された挿入孔３１に挿入される突部３２を備えたピボット金具３３を有する。ピボット金具３３は、水平片３４ａと垂直片３４ｂとから略Ｌ字形に形成された固定金具３４と、この固定金具３４の水平片３４ａ上にその長さ方向（パネル幅方向）に移動可能に取り付けられる移動金具３５とからなり、突部３２は移動金具３５の上方に突出するように設けられている。
【００２７】
固定金具３４は、水平片３４ａが床面２に載置固定され、垂直片３４ｂが右縦枠３ｂの内側面に沿わせて固定される。垂直片３４ｂにはネジ挿通孔３４ｃが設けられ、これに内側からネジ（図示せず）を挿通させて右縦枠３ｂに固定する。水平片３４ａの先端側には切欠部３６が形成され、この切欠部３６内の任意位置に挿通させたボルト３７を、固定金具水平片３４ａのボルト穴（図示せず）に螺着させることによって、固定金具３４に対して移動片３５を所望位置で固定することができる。このように移動片３５を固定金具３４の水平片３４ａ上で移動可能とすることによって、戸尻側パネル４の幅方向の位置調整を行うことができる。戸尻側パネル下部支持手段３０における突部３２は、戸尻側パネル上部支持手段２０における軸部２６と垂直方向に整列して、折れ戸１の開閉の際に戸尻側パネル４の回転軸となる。
【００２８】
戸先側パネル支持手段４０について特に図５および図６を参照して説明する。この戸先側パネル支持手段４０は、上枠３ａ下面のレール嵌合溝３ｄに嵌着されたレール１０に沿って走行可能な戸車４１を有する。戸先側パネル５の上木口５ａの所定箇所に固定された軸部４２が上方に突出しており、戸車４１は、この軸部４２に対して調整ナット４３を介して軸方向移動可能に取り付けられた戸車ケース４４内に収容されている。戸車４１は、水平軸４５の回りを回動自在である前後左右に各一対の走行ローラ４６，４６と、垂直軸（図示せず）の回りを回動自在である前後一対のガイドローラ４７，４７とを有している。走行ローラ４６，４６はレール鍔部１０ａ上に載置された状態でレール１０内に収容され、ガイドローラ４７，４７はレール鍔部１０ａ間に位置する。
【００２９】
上記の構成を有する戸先側パネル支持手段４０により、戸先側パネル５が上枠３ａに対して移動自在に吊持される。ガイドローラ４４はレール１０の鍔部１０ａ間と略同一の外径を有しており、これをレール鍔部１０ａ間で回動させることにより、戸車４１の左右（開口部から見て前後方向）の振れを抑制し、折れ戸１の開閉をスムーズにする。
【００３０】
軸部４２の下端が戸先側パネル５の上木口５ａに固定される位置は、戸尻側パネル４と戸先側パネル５とを回動自在に連結する連結手段６の中心位置Ｃ（図１（ｂ））から戸尻側パネル上部支持手段２０の軸部２６の中心までの水平距離Ｗ１（図３）と、該連結手段中心位置Ｃから戸先側パネル支持手段４０の軸部４２までの水平距離Ｗ２（図５）とが略等しくなるように設定される。これにより、戸先側パネル５を引いて折れ戸１を全開させたときに、幅広である戸先側パネル５が戸尻側パネル４と略等幅分だけ手前側に突出し、残りの幅分が開口部の反対側に突出した状態で折り重ねられることになり、開口部前後への突出長を小さくすることができる。
【００３１】
なお、戸先側パネル支持手段４０の構成は本実施例に限定されるものではなく、戸先側パネル５を上枠３ａに対して移動自在に吊持するものであれば良い。ガイドローラ４４を設けることは戸先側パネル５の開閉時に前後方向の振れを抑制して折れ戸１の開閉をスムーズにする上で好ましいが、本発明において必須ではなく、ガイドローラ４４を省略した実施形態も本発明の範囲内である。
【００３２】
この実施例による折れ戸１の施工方法について説明する。まず、戸尻側パネル下部支持手段３０のピボット金具３３を設置する。すなわち、ピボット金具３３の固定片３４の水平片３４ａを床面２にネジ（図示せず）固定すると共に、垂直片３４ｂのネジ挿通孔３４ｃに内側からネジ（図示せず）を通して垂直片３４ｂを右縦枠３ｂの内側木口下端部にネジ固定する。そして、移動片３５の位置を調整した後、ボルト３７を締めて水平片３４ａに固定する。
【００３３】
次に、上枠３ａの下面のレール嵌合溝３ｄに嵌合されたレール１０内に、戸尻側パネル上部支持手段２０の上枠側金具２２を設置する。すなわち、上枠側金具２２をレール１０内に挿入してレール鍔部１０ａ間の上方に掛け渡すようにすると共に、突起２７，２７がレール鍔部１０ａ間に嵌合されて下方に突出した状態に設置した後、レール鍔部１０ａ間の下方に跨ぐように掛け渡して配置した挟持金具２４を介して下方よりネジ２５を螺通させることによって、上枠側金具２２をレール１０（および上枠３ａ）に対して、レール１０ないし上枠３ａ延長方向（開口部から見て左右方向）にもレール幅方向（開口部から見て前後方向）にも実質的に移動不能に設置する。
【００３４】
このようにして、戸尻側パネル下部支持手段のピボット金具３３および戸尻側パネル上部支持手段２０の上枠側金具２２を設置した後、戸尻側パネル４と戸先側パネル５とが連結部材６によって連結されてなる折れ戸１を開口部に設置するが、まず、戸先側パネル５を戸先側パネル支持手段４０を介して上枠３ａのレール１０に取り付ける。すなわち、戸先側パネル５の上木口５ａの所定位置に軸部４２を介して戸車４１を取り付け、取手７が設けられた木口を左縦枠３ｃ側に向けて、戸車４１をレール１０内に設置する。これにより戸先側パネル５が戸先側パネル支持手段４０を介して上枠３ａに吊持された状態で支持される。
【００３５】
次に、この戸尻側パネル４の右縦枠３ｂ側の上木口角部に形成された嵌合穴１１に、戸尻側パネル上部支持手段２０のパネル側金具２１を嵌め込んでネジ２３で固定する。戸尻側パネル上部支持手段２０の上枠側金具２２は前述のようにして既に上枠３ａ側に設置されており、パネル側金具２１は軸部２６を介して上枠側金具２２と一体であるから、上枠３ａに吊持された戸尻側パネル４を右縦枠３ｂに近付けていき、パネル側金具２１を嵌合穴１１に嵌め込んでネジ固定すれば良い。これにより戸尻側パネル４が戸尻側パネル上部支持手段２０を介して上枠３ａに吊持される。
【００３６】
次に、この戸尻側パネル４の下端部に形成された挿入孔３１に、既に設置されている戸尻側パネル下部支持手段のピボット金具３３の突部３２を挿入する。既述したように、戸尻側パネル上部支持手段２０の軸部２６は上枠側金具２２に形成された貫通孔（図示せず）より小径で上枠側金具２２の面に対して上下動可能であるから、戸尻側パネル４を上に持ち上げながら突部３２を挿入孔３１に挿入するようにすると、作業が楽に行える。
【００３７】
そして、必要に応じて、戸尻側パネル上部支持手段２０のパネル側金具２１に設けられた調整ネジ２９によって戸尻側パネル４の上下方向位置を調整すると共に、戸先側パネル上部支持手段４０の軸部４２に螺着された調整ナット４３によって戸先側パネル５の上下方向位置を調整して、折れ戸１全体の高さ調整を行う。
【００３８】
戸尻側パネル上部支持手段２０の軸部２６と戸尻側パネル下部支持手段３０のピボット金具３３における突部３２とは垂直方向に略整列して戸尻側パネル４の回転軸となるものであり、ピボット金具３３の突部３２を挿入孔３１に挿入したときに突部３２と軸部２６とが垂直方向に整列せずにずれが生じたときは、ネジ２５を緩めて戸尻側パネル上部支持手段２０の上枠側金具２２をレール１０に沿って移動させて軸部２６を突部３２に整列させた後に再度ネジ２５を締めて固定すれば良い。
【００３９】
図７は本発明による支持構造を適用可能な他の折れ戸構成を示す。この折れ戸１２は、既述した折れ戸１と略同様の構成を有するが、戸尻側パネル４と戸先側パネル５とを回動自在に連結する連結手段の具体的構成が異なっている。すなわち、この折れ戸構造では、戸尻側パネル４と戸先側パネル５との間に、樹脂成型品、ＭＤＦ・集成材などの木質材、アルミなどの金属材その他適宜の材料から円柱状または円筒状に形成された左右一対のポール１３，１３が配置され、その上下端に略ひょうたん形状の蓋部材１４，１４を被着させている。戸尻側パネル４と戸先側パネル５の対向木口には、樹脂成形品やアルミなどの金属材からなる木口材１５，１５が取り付けられており、この木口材１５，１５を介して戸尻側パネル４と戸先側パネル５とが各々ポール１３，１３に対して回転自在とされている。このような連結構成によれば、折れ戸１２（図１（ａ））を前後両方向に開閉することができる。なお、このような連結構成の詳細については、特願２００７−３３２４３７号公報を参照されたい。
【００４０】
一例として、戸尻側パネル４は高さ１９６５ｍｍ，厚さ３３ｍｍ，幅３１０ｍｍであり、戸先側パネル５が高さおよび厚さが戸尻側パネル４と同一であって幅６０８ｍｍであり、これらの間に幅８２ｍｍのポール１３，１３および蓋部材１４，１４を挟んで回動自在に連結され、閉止状態における折れ戸１２全体の寸法は高さ１９６５ｍｍ，厚さ３３ｍｍ，幅１０００ｍｍである。
【００４１】
この折れ戸１２における支持構造、すなわち、戸尻側パネル４の右縦枠３ｂ側の上端部を上枠３ａに回動自在に吊持する戸尻側パネル上部支持手段２０、戸尻側パネル４の右縦枠３ｂ側の下端部を床面２上に回動自在に支持する戸尻側パネル下部支持手段３０、および戸先側パネル５を上枠３ａに移動自在に吊持する戸先側パネル支持手段４０については既述したと同様のものを使用することができ、その作用や施工方法なども同様であるので、説明を省略する。
【００４２】
以上に本発明の実施例について説明したが、本発明はこの実施例に限定されることなく、特許請求の範囲の記載によって定められる発明の範囲内において種々多様な実施形態を取り得るものである。折れ戸やその構成部材の寸法は任意であり、既述した寸法に限定されない。一般に、折れ戸１，１２全体は高さ１６００〜２４００ｍｍ、幅４００〜１２００ｍｍ、厚さ２４〜４０ｍｍであり、戸尻側パネル４および戸先側パネル５は高さおよび厚さが折れ戸寸法と同一で、幅は戸尻側パネル４が１５０〜４１０ｍｍ、戸先側パネル５が２５０〜７００ｍｍの範囲内において戸尻側パネル幅が戸先側パネル幅より小さく形成され、これらパネル同士を回動自在に連結する連結部材６やポール１３、蓋部材１４などは高さが折れ戸寸法と同一で幅１０〜９０ｍｍである。
【００４３】
折れ戸は、開口部から見て一方向のみに開閉する構造（図１）であっても良いし、前後両方向に開閉可能な構造（図７）であっても良い。片開き構造とするか両開き構造とするかに応じて、戸尻側パネル４と戸先側パネル５とを互いに回動自在に連結する連結手段として適宜のものを使用する。両開き構造の場合は図７に示すような連結手段を用いることができるが、これに限定されるものではなく、たとえば、ポール１３，１３を使用することに代えて、両パネル４，５の向かい合う木口面を凸曲面状に形成しても良いし、２本のポール１３，１３を連結させたような断面形状（蓋部材１４と略同形状）を有する１本のポールとして使用しても良い。
【符号の説明】
【００４４】
１  折れ戸
２  床面
３  開口枠
３ａ  上枠
３ｂ  右縦枠
３ｃ  左縦枠
３ｄ  レール嵌合溝
４  戸尻側パネル
４ａ  上木口
５  戸先側パネル
５ａ  上木口
６  連結部材
７  木口材
８  回動部（ギア）
９  隙間隠し材
１０  レール
１０ａ  鍔部
１１  嵌合穴
１２  折れ戸
１３  ポール
１４  蓋部材
１５  木口材
２０  戸尻側パネル上部支持手段
２１  パネル側金具
２２  上枠側金具
２３  固定ネジ
２４  挟持金具
２５  ネジ
２６  軸部
２６ａ  軸頭
２７  突起
２８  昇降部材
２９  調整ネジ
３０  戸尻側パネル下部支持手段
３１  挿入孔
３２  突部
３３  ピボット金具
３４  固定金具
３４ａ  水平片
３４ｂ  垂直片
３４ｃ  ネジ挿通孔
３５  移動金具
３６  切欠部
３７  ボルト
４０  戸先側パネル支持手段
４１  戸車
４２  軸部
４３  調整ナット
４４  戸車ケース
４５  水平軸
４６  走行ローラ
４７  ガイドローラ
【図１】
0005516944.tif 000002
【図２】
0005516944.tif 000003
【図３】
0005516944.tif 000004
【図４】
0005516944.tif 000005
【図５】
0005516944.tif 000006
【図６】
0005516944.tif 000007
【図７】
0005516944.tif 000008